(57)【要約】【課題】従来の室内空気を清浄化させる空気清浄機は、フィルタ寿命の段階的な表示、フィルタの汚れ具合の段階表示は行なっているが、フィルタの清浄化能力との関連付けができず、現在空気清浄機が有効に機能しているかどうかが認識できないという課題があり、清浄化能力を直接表示して使用者に知らせることがまれている。【解決手段】室内の空気の汚れ状態表示と清浄化能力の表示を一列に配置した表示手段４を備える構成とし、室内の空気の汚れ状態と清浄化能力の表示を容易に比較することができ、視認性に優れた表示のため、使用者のメンテナンスに対する意識向上と運転したことによる清浄化効果を容易に確認することができる。【選択図】図１
2008142579.tif 000002
【特許請求の範囲】
【請求項１】
室内の空気の汚れ状態表示と清浄化能力の表示を一列に配置した表示手段を備えたことを特徴とする空気清浄機。
【請求項２】
表示手段は、本体内の気流の方向に一列に配置したことを特徴とする請求項１記載の空気清浄機。
【請求項３】
表示手段は、複数個の発光体を使用したことを特徴とする請求項１記載の空気清浄機。
【請求項４】
表示手段は、複数の発光色を使用したことを特徴とする請求項１記載の空気清浄機。
【請求項５】
表示手段は、空気が流れるように流入側から流出側に向けて巡回しながら点滅することを特徴とする請求項１記載の空気清浄機。
【請求項６】
表示手段は、相隣り合う発光体の発光タイミングが重なり合うようにしたことを特徴とする請求項５記載の空気清浄機。
【請求項７】
表示手段は、発光体の発光の開始あるいは終了時の少なくともいずれか一方の輝度を変更したことを特徴とする請求項５記載の空気清浄機。
【請求項８】
表示手段は、清浄化能力が低下した場合、巡回時間が長くなるように制御することを特徴とする請求項５記載の空気清浄機。
【請求項９】
表示手段は、清浄化能力が所定の能力を下回った場合、点灯パターンを変更することを特徴とする請求項３記載の空気清浄機。
【請求項１０】
表示手段は、清浄化能力が所定の能力を下回った場合、少なくとも２個以上の発光体を連続して点滅するように制御することを特徴とする請求項１記載の空気清浄機。
【請求項１１】
表示手段は、赤色の発光色で点滅するように制御することを特徴とする請求項１０記載の空気清浄機。
【請求項１２】
表示手段は、室内の空気の汚れ状態表示と清浄化能力の表示に使用する発光体の数量比を変更する表示比率変更手段を備えたことを特徴とする請求項１記載の空気清浄機。
【発明の詳細な説明】
【技術分野】
【０００１】
本発明は、清浄化する実際の能力を表示する機能を有した空気清浄機に関する。
【背景技術】
【０００２】
近年、空気清浄機の汚れ状態を表示する方法は様々であり、汚れの種類を表示する空気清浄機もある。しかし、室内の空気汚れの表示は行なっているが、その空気汚れが空気清浄機を使用することで清浄化されているか否か、ユーザーは認識することができない。こういった背景のもと、フィルタの交換サインを出力表示するものやフィルタの汚れ具合を段階的に表示するものが知られている（例えば、特許文献１、特許文献２参照）。
【０００３】
以下、特許文献１に示された空気清浄機について、図９を参照しながら説明する。
【０００４】
図９に示すように、空気清浄機は、ケーシング５内に内蔵された送風機６と、該送風機６の吸込み側に配設されたフィルタユニット７と吸込み空気の汚れ度を検出する汚れセンサ８とを備えており、該フィルタユニット７により脱臭浄化した空気を空気吹出し口から吹出すように構成された空気清浄機において、汚れセンサ８による検出値が所定レベル以上となった状態が設定時間継続した時点で前記フィルタユニット７の交換を促すフィルタ交換サインを出力する制御手段を付設して、汚れセンサ８の検出値が所定レベル以上となっている状態が所定時間継続した場合を、フィルタユニット７の目詰まりによりフィルタユニット７による空気浄化機能が限界に到達したと推定し、フィルタユニット７の実際の汚れ具合に対応したフィルタ交換サインの出力を行なうように構成されている。
【０００５】
また、特許文献２に示された空気清浄機について、図１０を参照しながら説明する。
【０００６】
図１０に示すように、空気清浄機は、フィルタの汚れ具合を表示するフィルタサイン表示器９において、その表示を、使用に伴うフィルタの汚れに応じて、複数段階に変化させる。フィルタサイン表示器９は４つのＬＥＤ１０ａ〜１０ｄにより、複数のパターン表示が可能となっている。また、フィルタサイン表示器９の表示には、フィルタ交換時期である旨の表示が含まれており、フィルタの汚れ度の表示と異なる態様で行なうように構成されている。
【０００７】
さらに、特許文献３に示された空気清浄機の制御装置について、図１１を参照しながら説明する。
【０００８】
図１１に示すように、ニオイセンサ１１の出力からニオイランク判定手段１２がニオイの汚れ度合いのランク付けを判定し、煙センサ１３の出力から煙ランク判定手段１４が煙の汚れ度合いのランク付けを判定し、花粉センサ１５の出力から花粉ランク判定手段１６が花粉の汚れ度合いのランク付けを判定し、ニオイランク判定手段１２、煙ランク判定手段１４及び花粉ランク判定手段１６により判定されたニオイ、煙及び花粉のランク付けをそれぞれランク記憶手段１７、１８、１９が計時手段２０が設定した時間間隔の間で所定数記憶し、ランク記憶手段１７、１８、１９が記憶したニオイ、煙、花粉のランク付けを表示手段２１が各々経時的に所定間隔で最新のランクから過去のランクまで所定数さかのぼって表示するように構成されている。
【特許文献１】特開平９−２２５２５１号公報
【特許文献２】特開２００１−３０４６６９号公報
【特許文献３】特開２００５−２３８０６３号公報
【発明の開示】
【発明が解決しようとする課題】
【０００９】
このような従来の空気清浄機では、フィルタユニットの寿命を段階的に表示する機能は備えたり、フィルタの汚れ具合を複数段階に変化させて表示する機能は備えているが、使用者は寿命表示や汚れ具合表示と清浄化能力との相関付けが困難であり、空気清浄機が室内空気の清浄化に対して現在有効に働いているか否か確認することができないという課題があり、空気清浄機の清浄化能力を直接表示して使用者に知らせることが要求されている。
【００１０】
また、室内の汚れとフィルタ寿命を切替えて表示する機能は備えているが、清浄化能力をリアルタイムに表示されていないため、現在の汚れレベルと清浄化能力を比較確認することができないという課題があり、空気清浄機の能力に相当する清浄化能力と現在の汚れレベルを表示して使用者に知らせて比較確認を可能とし、より実際の運転条件、フィルタの使用条件に沿った使い方を可能とすることが要求されている。
【００１１】
本発明は、このような従来の課題を解決するものであり、清浄化能力をリアルタイム表示し、使用者に知らせるようにすることで、使用者の使い勝手をより向上させ、メンテナンス時期や空気清浄機の効果を解かり易く理解することができる空気清浄機を提供することを目的としている。
【課題を解決するための手段】
【００１２】
本発明の空気清浄機は、室内の空気の汚れ状態表示と清浄化能力の表示を一列に配置した表示手段を備える構成としたものである。
【００１３】
この手段により、室内の空気の汚れ状態と清浄化能力の表示を容易に比較することができ、視認性に優れた表示のため、使用者のメンテナンスに対する意識向上と運転したことによる清浄化効果を容易に確認することができる空気清浄機が得られる。
【００１４】
また、表示手段は、本体内の気流の方向に一列に配置した構成としたものである。
【００１５】
この手段により、本体内で空気が清浄化されている状態をより視覚的に解かり易く表示することが可能となり、フィルタの寿命等で清浄化能力が低下した場合の視覚効果によりメンテナンスを促すことができる空気清浄機が得られる。
【００１６】
さらに、表示手段は、複数個の発光体を使用した構成としたものである。
【００１７】
この手段により、複数個の光源でより視認性が良くなり、本体内で空気が清浄化されている状態をより視覚的に解かり易く表示することが可能となり、フィルタの寿命等で清浄化能力が低下した場合の視覚効果によりメンテナンスを促すことができる空気清浄機が得られる。
【００１８】
また、表示手段は、複数個の発光色を使用した構成としたものである。
【００１９】
この手段により、複数個の光源色でより清浄度に応じた色合いで表示することが可能となり、本体内で空気が清浄化されている状態をより視覚的に解かり易く表示することが可能となるため、フィルタの寿命等で清浄化能力が低下した場合の視覚効果によりメンテナンスを促すことができる空気清浄機が得られる。
【００２０】
さらに、表示手段は、空気が流れるように流入側から流出側に向けて巡回しながら点滅する構成としたものである。
【００２１】
この手段により、空気の実際の流れに沿って、汚れた空気の浄化していく状況を表示することができ、より視覚的に解かり易く表示することが可能となるため、フィルタの寿命等で清浄化能力が低下した場合の視覚効果によりメンテナンスを促すことができ、さらに運転効果をより解かり易く表示することができる空気清浄機が得られる。
【００２２】
また、表示手段は、相隣り合う発光体の発光タイミングが重なり合うように制御する構成としたものである。
【００２３】
この手段により、実際の空気の流れの表示に関して、より視覚的に解かり易く表示することが可能となるため、運転効果をより解かり易く表示することができる空気清浄機が得られる。
【００２４】
さらに、表示手段は、発光体の発光の開始あるいは終了時の少なくともいずれか一方の輝度を変更する構成としたものである。
【００２５】
この手段により、実際の空気の流れの表示に関して、より視覚的に解かり易く表示することが可能となるため、運転効果をより解かり易く表示することができる空気清浄機が得られる。
【００２６】
また、表示手段は、清浄化能力が低下した場合、巡回時間が長くなるように制御するような構成としたものである。
【００２７】
この手段により、フィルタの寿命等により実際の空気の流れが悪くなった場合、視覚的にメンテナンス時期を知らせることができる空気清浄機が得られる。
【００２８】
さらに、表示手段は、清浄化能力が所定の能力を下回った場合、点灯パターンを変更するような構成としたものである。
【００２９】
この手段により、フィルタの寿命等により実際の空気の流れが悪くなった場合、視覚的により認識しやすいメンテナンス表示を可能とすることができる空気清浄機が得られる。
【００３０】
また、表示手段は、清浄化能力が所定の能力を下回った場合、少なくとも２個以上の発光体を連続して点滅するように制御する構成としたものである。
【００３１】
この手段により、フィルタの寿命等により実際の空気の流れが悪くなった場合、普段の点滅パターンと異なることから、視覚的により認識しやすいメンテナンス表示を可能とすることができる空気清浄機が得られる。
【００３２】
さらに、表示手段は、赤色の発光色で点滅するように制御する構成としたものである。
【００３３】
この手段により、フィルタの寿命等により実際の空気の流れが悪くなった場合、異常色の使用により、より視覚的に認識しやすいメンテナンス表示を可能とすることができる空気清浄機が得られる。
【００３４】
また、表示手段は、室内の空気の汚れ状態表示と清浄化能力の表示に使用する発光体の数量比を変更する表示比率変更手段を備える構成としたものである。
【００３５】
この手段により、状況に応じて重要度の高い表示を重点的に表示することができ、より視覚的に認識しやすい運転効果表示あるいはメンテナンス表示を可能とすることができる空気清浄機が得られる。
【発明の効果】
【００３６】
本発明によれば、室内の空気の汚れ状態表示と清浄化能力の表示を一列に配置した表示手段を備える構成とすることで、室内の空気の汚れ状態と清浄化能力の表示を容易に比較することができ、視認性に優れた表示のため、使用者のメンテナンスに対する意識向上と運転したことによる清浄化効果を容易に確認することができる空気清浄機を提供できる。
【００３７】
また、表示手段は、本体内の気流の方向に一列に配置した構成とすることで、本体内で空気が清浄化されている状態をより視覚的に解かり易く表示することが可能となり、フィルタの寿命等で清浄化能力が低下した場合の視覚効果によりメンテナンスを促すことができる空気清浄機を提供できる。
【００３８】
さらに、表示手段は、複数個の発光体を使用した構成とすることで、複数個の光源でより視認性が良くなり、本体内で空気が清浄化されている状態をより視覚的に解かり易く表示することが可能となり、フィルタの寿命等で清浄化能力が低下した場合の視覚効果によりメンテナンスを促すことができる空気清浄機を提供できる。
【００３９】
また、表示手段は、複数個の発光色を使用した構成とすることで、複数個の光源色でより清浄度に応じた色合いで表示することが可能となり、本体内で空気が清浄化されている状態をより視覚的に解かり易く表示することが可能となるため、フィルタの寿命等で清浄化能力が低下した場合の視覚効果によりメンテナンスを促すことができる空気清浄機を提供できる。
【００４０】
さらに、表示手段は、空気が流れるように流入側から流出側に向けて巡回しながら点滅する構成とすることで、空気の実際の流れに沿って、汚れた空気の浄化していく状況を表示することができ、より視覚的に解かり易く表示することが可能となるため、フィルタの寿命等で清浄化能力が低下した場合の視覚効果によりメンテナンスを促すことができ、さらに運転効果をより解かり易く表示することができる空気清浄機を提供できる。
【００４１】
また、表示手段は、相隣り合う発光体の発光タイミングが重なり合うように制御する構成とすることで、実際の空気の流れの表示に関して、より視覚的に解かり易く表示することが可能となるため、運転効果をより解かり易く表示することができる空気清浄機を提供できる。
【００４２】
さらに、表示手段は、発光体の発光の開始あるいは終了時の少なくともいずれか一方の輝度を変更する構成とすることで、実際の空気の流れの表示に関して、より視覚的に解かり易く表示することが可能となるため、運転効果をより解かり易く表示することができる空気清浄機を提供できる。
【００４３】
また、表示手段は、清浄化能力が低下した場合、巡回時間が長くなるように制御するような構成とすることで、フィルタの寿命等により実際の空気の流れが悪くなった場合、視覚的にメンテナンス時期を知らせることができる空気清浄機を提供できる。
【００４４】
さらに、表示手段は、清浄化能力が所定の能力を下回った場合、点灯パターンを変更するような構成とすることで、フィルタの寿命等により実際の空気の流れが悪くなった場合、視覚的により認識しやすいメンテナンス表示を可能とすることができる空気清浄機を提供できる。
【００４５】
また、表示手段は、清浄化能力が所定の能力を下回った場合、少なくとも２個以上の発光体を連続して点滅するように制御する構成とすることで、フィルタの寿命等により実際の空気の流れが悪くなった場合、普段の点滅パターンと異なることから、視覚的により認識しやすいメンテナンス表示を可能とすることができる空気清浄機を提供できる。
【００４６】
さらに、表示手段は、赤色の発光色で点滅するように制御する構成とすることで、フィルタの寿命等により実際の空気の流れが悪くなった場合、異常色の使用により、より視覚的に認識しやすいメンテナンス表示を可能とすることができる空気清浄機を提供できる。
【００４７】
また、表示手段は、室内の空気の汚れ状態表示と清浄化能力の表示に使用する発光体の数量比を変更する表示比率変更手段を備える構成とすることで、状況に応じて重要度の高い表示を重点的に表示することができ、より視覚的に認識しやすい運転効果表示あるいはメンテナンス表示を可能とすることができる空気清浄機を提供できる。
【発明を実施するための最良の形態】
【００４８】
本発明の請求項１記載の発明は、室内の空気の汚れ状態表示と清浄化能力の表示を一列に配置した表示手段を備える構成としたものであり、室内の空気の汚れ状態と清浄化能力の表示を容易に比較することができ、視認性に優れた表示のため、使用者のメンテナンスに対する意識向上と運転したことによる清浄化効果を容易に確認することができるという作用を有する。
【００４９】
また、表示手段は、本体内の気流の方向に一列に配置した構成としたものであり、本体内で空気が清浄化されている状態をより視覚的に解かり易く表示することが可能となり、フィルタの寿命等で清浄化能力が低下した場合の視覚効果によりメンテナンスを促すことができるという作用を有する。
【００５０】
さらに、表示手段は、複数個の発光体を使用した構成としたものであり、複数個の光源でより視認性が良くなり、本体内で空気が清浄化されている状態をより視覚的に解かり易く表示することが可能となり、フィルタの寿命等で清浄化能力が低下した場合の視覚効果によりメンテナンスを促すことができるという作用を有する。
【００５１】
また、表示手段は、複数個の発光色を使用した構成としたものであり、複数個の光源色でより清浄度に応じた色合いで表示することが可能となり、本体内で空気が清浄化されている状態をより視覚的に解かり易く表示することが可能となるため、フィルタの寿命等で清浄化能力が低下した場合の視覚効果によりメンテナンスを促すことができるという作用を有する。
【００５２】
さらに、表示手段は、空気が流れるように流入側から流出側に向けて巡回しながら点滅する構成としたものであり、空気の実際の流れに沿って、汚れた空気の浄化していく状況を表示することができ、より視覚的に解かり易く表示することが可能となるため、フィルタの寿命等で清浄化能力が低下した場合の視覚効果によりメンテナンスを促すことができ、さらに運転効果をより解かり易く表示することができるという作用を有する。
【００５３】
また、表示手段は、相隣り合う発光体の発光タイミングが重なり合うように制御する構成としたものであり、実際の空気の流れの表示に関して、より視覚的に解かり易く表示することが可能となるため、運転効果をより解かり易く表示することができるという作用を有する。
【００５４】
さらに、表示手段は、発光体の発光の開始あるいは終了時の少なくともいずれか一方の輝度を変更する構成としたものであり、実際の空気の流れの表示に関して、より視覚的に解かり易く表示することが可能となるため、運転効果をより解かり易く表示することができるという作用を有する。
【００５５】
また、表示手段は、清浄化能力が低下した場合、巡回時間が長くなるように制御するような構成としたものであり、フィルタの寿命等により実際の空気の流れが悪くなった場合、視覚的にメンテナンス時期を知らせることができるという作用を有する。
【００５６】
さらに、表示手段は、清浄化能力が所定の能力を下回った場合、点灯パターンを変更するような構成としたものであり、フィルタの寿命等により実際の空気の流れが悪くなった場合、視覚的により認識しやすいメンテナンス表示を可能とすることができるという作用を有する。
【００５７】
また、表示手段は、清浄化能力が所定の能力を下回った場合、少なくとも２個以上の発光体を連続して点滅するように制御する構成としたものであり、フィルタの寿命等により実際の空気の流れが悪くなった場合、普段の点滅パターンと異なることから、視覚的により認識しやすいメンテナンス表示を可能とすることができるという作用を有する。
【００５８】
さらに、表示手段は、赤色の発光色で点滅するように制御する構成としたものであり、フィルタの寿命等により実際の空気の流れが悪くなった場合、異常色の使用により、より視覚的に認識しやすいメンテナンス表示を可能とすることができるという作用を有する。
【００５９】
また、表示手段は、室内の空気の汚れ状態表示と清浄化能力の表示に使用する発光体の数量比を変更する表示比率変更手段を備える構成としたものであり、状況に応じて重要度の高い表示を重点的に表示することができ、より視覚的に認識しやすい運転効果表示あるいはメンテナンス表示を可能とすることができるという作用を有する。
【００６０】
以下、本発明の実施の形態について図面を参照しながら説明する。
【００６１】
（実施の形態１）
図１は、本実施の形態１における空気清浄機の構成図を示す。
【００６２】
図に示すように、空気清浄機は、本体１の正面にフロントパネルを設け、本体正面の下部に吸込み口２、正面の上部に吹出し口３を備えており、本体１の正面左部に室内の汚れ状態表示と清浄化能力を垂直方向に一列に表示するように配置した表示手段４の表示部４ａを備えている。表示部４ａは、複数の発光色で点灯が可能なＬＥＤ４ａ＿Ａ〜ＬＥＤ４ａ＿Ｅを備えている。本体１の内部の吸込み口２の近傍には、吸込み空気の粉塵量を検出する吸気粉塵センサ４ｂ、揮発性有機化合物による空気汚れを検出する吸気ＶＯＣセンサ４ｃおよびアンモニアによる空気汚れを検出する吸気アンモニアセンサ４ｄと、吹出し口３の近傍には吹出し空気の粉塵量を検出する吹出し粉塵センサ４ｅ、揮発性有機化合物による空気汚れを検出する吹出しＶＯＣセンサ４ｆおよびアンモニアによる空気汚れを検出する吹出しアンモニアセンサ４ｇと、各センサ信号から清浄化能力を判定する判定手段４ｈと表示部４ａに状態を出力する出力部４ｉと、ＬＥＤ４ａ＿Ａ〜ＬＥＤ４ａ＿Ｅの相隣り合うＬＥＤを本体１の中を空気が流れるよう、発光タイミングが重なり合うように流入側から流出側に向けて、巡回しながら輝度を変更しつつ点滅するように制御する巡回点滅制御部４ｊを備えている。また、本体１の上部に室内の空気の汚れ状態表示と清浄化能力の表示に使用するＬＥＤ個数比率を変更する表示比率変更部４ｋを備えている。表示比率変更部４ｋは、表示比率を変更するためのスイッチ部４ｋ＿Ａと、スイッチ部４ｋ＿Ａの入力毎に清浄化能力を表示するＬＥＤ個数を１個ずつ増加させる比率変更部４ｋ＿Ｂを備えている。この時、比率変更部４ｋ＿Ｂは清浄化能力を表示するＬＥＤ個数が本体１に設置した個数を上回る場合は、表示個数を０個にクリアして再度１個からカウントアップする。
【００６３】
次に、判定手段４ｈのフローチャートについて図２を参照しながら説明する。
【００６４】
図に示すように、判定手段４ｈは、吸込み側と吹出し側のそれぞれの粉塵判定、ＶＯＣ判定およびアンモニア判定に別れており、最終的に総合的な清浄化能力を判定するようになっている。清浄化能力の判定は、吸気粉塵センサ４ｂ、吸気ＶＯＣセンサ４ｃ、吸気アンモニアセンサ４ｄの出力信号を入力して室内の空気汚れレベルを判定する。吸込み側の各センサの信号からレベル変換を行い、各センサの快適性に関する重み付け、例えば粉塵の重みを３、ＶＯＣの重みを２、アンモニアの重みを５として演算する。重みとセンサ信号値を乗じて、全センサの重み付け値を加算する。加算した値が図２の中の表１のテーブル値と比較、大小判定を行なって、室内の空気汚れレベルを判定する。次に、同様のシーケンスを通して吹出し側の空気汚れレベルを判定する。さらに、判定した吸気側の総合的な汚れレベルと、吹出し側の総合的な汚れレベルを減算してレベル減少値を算出する。算出したレベル減少値を４段階の空気清浄機の清浄化能力を判定する。判定した清浄化能力は、出力部４ｉへ出力することとなる。
【００６５】
次に、巡回点滅制御部４ｊのフローチャートについて図３を参照しながら説明する。
【００６６】
図に示すように、巡回点滅制御部４ｊは、本体１の下部に配置したＬＥＤ４ａ＿Ａからオンするように制御する。この時、オンする時比率は、デューティを図４に示すように０から徐々に所定のデューティＤｍａｘまで増加させる。所定のデューティに到達すると、所定時間Ｄｍａｘで駆動し、時間経過後、点滅開始時とは逆に徐々にデューティ０まで減少させる。Ｄｍａｘから０に減少させる時に、次に点滅させるＬＥＤを０からＤｍａｘまで増加させることで連続的に表示する。上部に位置したＬＥＤ４ａ＿Ｅの点滅が終了する時にはＬＥＤ４ａ＿Ａを再度点滅させることで、巡回表示することとなる。
【００６７】
以上のように、本実施の形態１によれば、室内の空気の汚れ状態表示と清浄化能力を表示する複数の発光色を有する複数個の発光体を気流の方向に一列に配置する構成としたことにより、室内の空気の汚れ状態と清浄化能力の表示を容易に比較することができ、視認性に優れた表示のため、使用者のメンテナンスに対する意識向上と運転したことによる清浄化効果を容易に確認することができることとなる。また、空気が流れるように流入側から流出側に向けて巡回しながら相隣り合う発光体の発光タイミングが重なり合うように発光開始あるいは終了時に輝度を変更しつつ点滅するため、空気の実際の流れに沿って、汚れた空気の浄化していく状況を表示することができ、より視覚的に解かり易く表示することが可能となるため、フィルタの寿命等で清浄化能力が低下した場合の視覚効果によりメンテナンスを促すことができ、さらに運転効果をより解かり易く表示することができることとなる。さらに、室内の空気の汚れ状態表示と清浄化能力の表示に使用する発光体の数量比を変更することにより、状況に応じて重要度の高い表示を重点的に表示することができ、より視覚的に認識しやすい運転効果表示あるいはメンテナンス表示ができることとなる。
【００６８】
（実施の形態２）
図５は、本実施の形態２における空気清浄機の構成図を示す。
【００６９】
なお、実施の形態１と同一のものは同一記号を付し、詳細な説明は省略する。
【００７０】
図に示すように、空気清浄機は、本体１の正面にフロントパネルを設け、本体正面の下部に吸込み口２、正面の上部に吹出し口３を備えており、本体１の正面左部に表示部４ａを備えている。表示部４ａは、複数の発光色で点灯が可能なＬＥＤ４ａ＿Ａ〜ＬＥＤ４ａ＿Ｅを備えている。本体１の内部の吸込み口２の近傍には、吸気粉塵センサ４ｂ、吸気ＶＯＣセンサ４ｃおよび吸気アンモニアセンサ４ｄと、吹出し口３の近傍には吹出し粉塵センサ４ｅ、吹出しＶＯＣセンサ４ｆおよび吹出しアンモニアセンサ４ｇと、判定手段４ｈと出力部４ｉと、清浄化能力が低下した場合、巡回時間が長くなるように制御する巡回時間変更部４Ｌと、清浄化能力が所定の値を下回った場合にＬＥＤ４ａ＿Ａ〜ＬＥＤ４ａ＿Ｅを赤色で点滅するように制御する異常制御部４ｍを備えている。また、本体１の上部には、吸込み空気の汚れ度合、吹出し空気の汚れ度合、汚れ空気の清浄化能力の度合の表示を切り換える表示切換部４ｎを備えている。
【００７１】
次に、巡回時間変更部４Ｌのフローチャートについて図６を参照しながら説明する。
【００７２】
図に示すように、巡回時間変更部４Ｌは、判定手段４ｈにより判定した清浄化能力を入力する。入力した清浄化能力を記憶し、常時８個の最新の清浄化能力を記憶するようになっている。最古の清浄化能力を記憶した領域に順次最新の清浄化能力を入力して、最新８個の清浄化能力の平均値を演算する。演算した平均値が所定の清浄化能力、例えば清浄化能力レベル３を下回っていないか否かを判定して、下回っていれば巡回時間の変更処理へと移行する。巡回時間の変更処理では、清浄化能力の平均値の垂下レベル、すなわち所定の清浄化能力との偏差より、さらに低い異常を判定する所定値、例えば清浄化能力レベル２と比較する。所定値と比較した結果、異常を判定するレベルを下回った場合は、異常処理要求を異常制御部４ｍへ出力する。異常を判定するレベルを下回っていなければ、その時の偏差に応じて３段階の時間変更（例えば、１秒、１．５秒、２秒の巡回時間）を行なう。
【００７３】
次に、異常制御部４ｍのフローチャートについて図７を参照しながら説明する。
【００７４】
図に示すように、異常制御部４ｍは、巡回時間変更部４Ｌから異常処理要求を受け取ったか否かを入力する。入力した結果、異常処理要求を受け取っていれば、ＬＥＤ４ａ＿Ａ〜ＬＥＤ４ａ＿ＥのすべてのＬＥＤを赤色で点滅するように制御する。異常処理要求を受け取っていなければ、何もせず終了する。
【００７５】
次に、表示切換部４ｎの構成について図８を参照しながら説明する。
【００７６】
図に示すように、表示切換部４ｎは、表示の切換を選択する選択スイッチ４ｎ＿Ａと、選択スイッチ４ｎ＿Ａの押下回数から表示内容記憶部４ｎ＿Ｂに記憶した表示内容の切換処理、すなわち吸込み空気の汚れ度合、吹出し空気の汚れ度合、汚れ空気の清浄化能力の度合の順にて巡回表示内容を選択する。選択した表示内容は表示部４ａに出力する。
【００７７】
以上のように、本実施の形態２によれば、清浄化能力が低下した場合、巡回時間が長くなるように制御することにより、フィルタの寿命等により実際の空気の流れが悪くなった場合、視覚的にメンテナンス時期を知らせることができ、また低下した結果、所定の能力を下回った場合、点灯パターンを変更する、すなわち２個以上の発光体を赤色に連続して点滅するようにし、フィルタの寿命等により実際の空気の流れが悪くなった場合、赤色でかつ普段の点滅パターンと異なることから、視覚的により認識しやすいメンテナンス表示を可能とすることとなる。
【産業上の利用可能性】
【００７８】
各種機器の実際の能力表示に関するものであり、空気の清浄化に関するもの以外に温熱制御に関する機器の能力表示などの用途にも適用できる。
【図面の簡単な説明】
【００７９】
【図１】本発明の実施の形態１における空気清浄機の構成図
【図２】同判定手段４ｈの制御フローチャート
【図３】同巡回点滅制御部４ｊの制御フローチャート
【図４】同オン時比率の説明図
【図５】本発明の実施の形態２における空気清浄機の構成図
【図６】同巡回時間変更部４Ｌの制御フローチャート
【図７】同異常制御部４ｍの制御フローチャート
【図８】同表示切換部４ｎの構成図
【図９】特許文献１における従来の空気清浄機の構成図
【図１０】特許文献２における従来の空気清浄機の構成図
【図１１】特許文献３における従来の空気清浄機の制御装置の構成図
【符号の説明】
【００８０】
１    本体
２    吸込み口
３    吹出し口
４    表示手段
４ａ  表示部
４ａ＿Ａ〜４ａ＿Ｅ  ＬＥＤ
４ｂ  吸気粉塵センサ
４ｃ  吸気ＶＯＣセンサ
４ｄ  吸気アンモニアセンサ
４ｅ  吹出し粉塵センサ
４ｆ  吹出しＶＯＣセンサ
４ｇ  吹出しアンモニアセンサ
４ｈ  判定手段
４ｉ  出力部
４ｊ  巡回点滅制御部
４ｋ  表示比率変更部
４Ｌ  巡回時間変更部
４ｍ  異常制御部
４ｎ  表示切換部
４ｎ＿Ａ  選択スイッチ
４ｎ＿Ｂ  表示内容記憶部
【図１】
2008142579.tif 000003
【図２】
2008142579.tif 000004
【図３】
2008142579.tif 000005
【図４】
2008142579.tif 000006
【図５】
2008142579.tif 000007
【図６】
2008142579.tif 000008
【図７】
2008142579.tif 000009
【図８】
2008142579.tif 000010
【図９】
2008142579.tif 000011
【図１０】
2008142579.tif 000012
【図１１】
2008142579.tif 000013